(57)【要約】【課題】  特定のユーザーがユーザー権限レベルを必要に応じて変更できるようにする。【解決手段】  記憶装置１７には、特定画像に基づくセキュリティキーを示すセキュリティキーデータ１７ｃが記憶可能である。ユーザー権限レベル設定部２１は、ユーザーデータ１７ｂに基づいてユーザーのユーザー権限レベルを設定し、画像読取部１１により読み取られた画像がセキュリティキーに合致する場合には、セキュリティキーに対応するユーザー権限レベルへ、ユーザーのユーザー権限レベルを変更する。【選択図】  図１
2018182681.tif 000002
【特許請求の範囲】
【請求項１】
画像読取部と、
特定画像に基づくセキュリティキーを示すセキュリティキーデータを記憶可能な記憶装置と、
ユーザーデータに基づいてユーザーのユーザー権限レベルを設定し、前記画像読取部により読み取られた画像が前記セキュリティキーに合致する場合には、前記セキュリティキーに対応するユーザー権限レベルへ、前記ユーザーのユーザー権限レベルを変更するユーザー権限レベル設定部と、
を備えることを特徴とする画像読取装置。  
【請求項２】
前記セキュリティキーは、特定の順序で順序付けられている複数の特定画像であり、
前記ユーザー権限レベル設定部は、前記画像読取部により読み取られた複数の画像が、読み取られた順序で、前記特定の順序の前記複数の特定画像にそれぞれ一致する場合、前記セキュリティキーに対応するユーザー権限レベルへ、前記ユーザーのユーザー権限レベルを変更すること、
を特徴とする請求項１記載の画像読取装置。
【請求項３】
前記複数の特定画像は、同一の画像であって、前記複数の特定画像の少なくとも１つの特定画像の向きが他の特定画像の向きと異なることを特徴とする請求項２記載の画像読取装置。
【請求項４】
前記セキュリティキーデータは、互いに異なる複数の特定画像に基づく複数のセキュリティキーを示し、
前記ユーザー権限レベル設定部は、前記画像読取部により読み取られた複数の画像が前記複数のセキュリティキーにそれぞれ合致する場合には、前記複数のセキュリティキーに対応する複数のユーザー権限レベルのうちの最も高いユーザー権限レベルへ、前記ユーザーのユーザー権限レベルを変更すること、
を特徴とする請求項１記載の画像読取装置。
【請求項５】
前記ユーザー権限レベル設定部は、所定の回数、前記ユーザー権限レベルを変更した場合、前記セキュリティキーを無効にすることを特徴とする請求項１記載の画像読取装置。
【請求項６】
前記特定画像は、当該画像読取装置のマニュアルにおける特定ページの画像であることを特徴とする請求項１記載の画像読取装置。
【請求項７】
前記画像読取部により読み取られた画像を前記特定画像として前記セキュリティキーデータを前記記憶装置に記憶するセキュリティキー登録部をさらに備えることを特徴とする請求項１から請求項６のうちのいずれか１項記載の画像読取装置。
【発明の詳細な説明】
【技術分野】
【０００１】
本発明は、画像読取装置に関するものである。
【背景技術】
【０００２】
ある複合機は、コピー設定が、読み取られた原稿画像内に埋め込まれた許可条件に基づき許可される場合、そのコピー設定に従ってコピーを実行する（例えば特許文献１参照）。
【先行技術文献】
【特許文献】
【０００３】
【特許文献１】特開２００７−２８８６９１号公報
【発明の概要】
【発明が解決しようとする課題】
【０００４】
しかしながら、上述の技術では、許可条件が埋め込まれている原稿画像に対してのみ、その許可情報が適用されるため、ユーザーに応じて、その原稿画像の利用の可否を制御することは困難である。
【０００５】
本発明は、上記の問題に鑑みてなされたものであり、特定のユーザーがユーザー権限レベルを必要に応じて変更できる画像読取装置を得ることを目的とする。
【課題を解決するための手段】
【０００６】
本発明に係る画像読取装置は、画像読取部と、特定画像に基づくセキュリティキーを示すセキュリティキーデータを記憶可能な記憶装置と、ユーザーデータに基づいてユーザーのユーザー権限レベルを設定し、前記画像読取部により読み取られた画像が前記セキュリティキーに合致する場合には、前記セキュリティキーに対応するユーザー権限レベルへ、前記ユーザーのユーザー権限レベルを変更するユーザー権限レベル設定部とを備える。
【発明の効果】
【０００７】
本発明によれば、特定のユーザーがユーザー権限レベルを必要に応じて変更できる。
【０００８】
本発明の上記又は他の目的、特徴および優位性は、添付の図面とともに以下の詳細な説明から更に明らかになる。
【図面の簡単な説明】
【０００９】
【図１】図１は、本発明の実施の形態に係る画像読取装置の構成を示すブロック図である。
【図２】図２は、図１に示す画像読取装置の動作について説明するフローチャートである。
【発明を実施するための形態】
【００１０】
以下、図に基づいて本発明の実施の形態を説明する。
【００１１】
図１は、本発明の実施の形態に係る画像読取装置の構成を示すブロック図である。図１に示す画像読取装置は、画像読取機能を有する複合機、コピー機などである。図１に示す画像読取装置は、画像読取部１１、印刷装置１２、ファクシミリ装置１３、通信装置１４、操作パネル１５、コントローラー１６、記憶装置１７などを備える。
【００１２】
画像読取部１１は、プラテングラスに載置された原稿や、自動原稿送り装置によりフィードされた原稿から原稿画像を光学的に読み取り、その原稿画像の画像データを生成する内部装置である。
【００１３】
印刷装置１２は、文書データ１７ａなどに基づく画像を印刷する内部装置である。
【００１４】
ファクシミリ装置１３は、スキャンで得られた画像データをファクシミリ信号として送信し、ファクシミリ信号を受信して画像データを生成する内部装置である。
【００１５】
通信装置１４は、ネットワークインターフェイス、近距離通信インターフェイスなどであって、端末装置２とデータ通信を行う内部装置である。
【００１６】
操作パネル１５は、当該画像読取装置の筺体上面側に配置され、ユーザーに対して画面を表示する表示装置１５ａおよびそのユーザーによる操作を受け付ける入力装置１５ｂを有する内部装置である。表示装置１５ａは、液晶ディスプレイなどである。また、入力装置１５ｂは、ハードキー、表示装置１５ａとともにソフトキーを実現するタッチパネルなどである。
【００１７】
コントローラー１６は、ＣＰＵ（Central Processing Unit）、ＲＯＭ（Read Only Memory）、ＲＡＭ（Random Access Memory）などを有するコンピューター、ＡＳＩＣ（Application Specific Integrated Circuit）などを備え、各種処理部として動作する。つまり、コントローラー１６は、ＲＯＭや記憶装置１７に記憶されているプログラムをＲＡＭにロードしてＣＰＵで実行して、ソフトウェアによって各種処理部として動作したり、ＡＳＩＣなどで、ハードウェアによって各種処理部として動作したりする。また、コントローラー１６は、内部装置を制御して、各種処理を実行する。
【００１８】
記憶装置１７は、フラッシュメモリーなどの不揮発性の記憶装置であって、データやプログラムを記憶する。記憶装置１７は、文書データ１７ａ、ユーザーデータ１７ｂなどを記憶している。ユーザーデータ１７ｂは、ログイン時に要求されるユーザー認証情報（ユーザーＩＤ、パスワードなど）、デフォルトのユーザー権限レベル情報などを含む。さらに、記憶装置１７は、特定画像に基づくセキュリティキーを示すセキュリティキーデータ１７ｃを記憶可能となっている。文書データ１７ａは、例えば上述のように生成された画像データである。
【００１９】
セキュリティキーは、特定画像そのものでもよいし、特定画像の所定の特徴量（含まれるテキスト、テキストや図形などのレイアウトなど）でもよい。なお、特定画像のサイズは特に限定されず、特定画像は単一色以外の画像とされる。例えば、特定画像は、写真原稿の画像、テキスト原稿の画像などとされる。
【００２０】
コントローラー１６は、ユーザー権限レベル設定部２１、およびセキュリティキー登録部２２として動作する。
【００２１】
ユーザー権限レベル設定部２１は、例えばユーザーのログイン時に、ユーザーデータ１７ｂに基づいてそのユーザーのユーザー権限レベルを設定し、画像読取部１１により読み取られた画像が、セキュリティキーデータ１７ｃにより示されるセキュリティキーに合致する場合には、そのセキュリティキーに対応するユーザー権限レベルへ、ユーザーのユーザー権限レベルを変更し、そうではない場合、ユーザーのユーザー権限レベルを変更しない。
【００２２】
なお、特定の順序で順序付けられている複数の特定画像を１つのセキュリティキーとしてもよい。その場合、ユーザー権限レベル設定部２１は、画像読取部１１により読み取られた複数の画像が、読み取られた順序で、その特定の順序の複数の特定画像にそれぞれ一致する場合、セキュリティキーに対応するユーザー権限レベルへ、ユーザーのユーザー権限レベルを変更し、そうではない場合、ユーザーのユーザー権限レベルを変更しない。
【００２３】
さらに、その場合、上述の複数の特定画像は、同一の画像であって、その複数の特定画像の少なくとも１つの特定画像の向きが他の特定画像の向き（例えば、０度、９０度、１８０度、および２７０度のいずれか）と異なるようになっていてもよい。例えば、４枚の特定画像でセキュリティキーが構成される場合、１番目の特定画像が、ある画像とされ、２番目の特定画像が、ある画像を右に９０度回転させた画像とされ、３番目の特定画像が、ある画像を左に９０度回転させた画像とされ、４番目の特定画像が、ある画像を１８０度回転させた画像とされる。
【００２４】
また、セキュリティキーデータ１７ｃは、互いに異なる複数の特定画像に基づく複数のセキュリティキーを示すようにしてもよい。その場合、ユーザー権限レベル設定部２１は、画像読取部１１により読み取られた複数の画像が複数のセキュリティキーにそれぞれ合致する場合には、その複数のセキュリティキーに対応する複数のユーザー権限レベルのうちの最も高いユーザー権限レベルへ、ユーザーのユーザー権限レベルを変更するようにしてもよい。
【００２５】
また、ユーザー権限レベル設定部２１は、１つのセキュリティキーについて、所定の回数、ユーザー権限レベルを変更した場合、そのセキュリティキーを無効にするようにしてもよい。
【００２６】
セキュリティキー登録部２２は、画像読取部１１により読み取られた画像を特定画像としてセキュリティキーデータ１７ｃを記憶装置１７に記憶するとともに、そのセキュリティキーデータ１７ｃに、セキュリティキーに対応するユーザー権限レベルを含める。
【００２７】
次に、当該実施の形態に係る画像読取装置の動作について説明する。図２は、図１に示す画像読取装置の動作について説明するフローチャートである。
【００２８】
操作パネル１５にログイン画面が表示されているときに、ユーザーは、操作パネル１５に対してユーザー認証情報を入力することで、ログインする（ステップＳ１）。このとき、コントローラー１６は、ログイン処理（ユーザー認証、メニュー画面の表示開始など）を実行する。
【００２９】
ログイン処理が実行されると、ユーザー権限レベル設定部２１は、ユーザーデータ１７ｂに基づいて、そのユーザーのユーザー権限レベルを特定し、そのユーザー権限レベルをセットする（ステップＳ２）。
【００３０】
その後、コントローラー１６は、操作パネル１５において、ユーザー権限レベル変更のための操作（ステップＳ３）、現時点のユーザー権限レベルで許可される処理の実行指示（ステップＳ４）、およびログアウト操作（ステップＳ５）が検出されたか否かを監視する。
【００３１】
ユーザーは、ユーザー権限レベルを変更したい場合、ユーザー権限レベル変更のための操作を行い、その後、セキュリティキーの特定画像を含む原稿（以下、セキュリティキー原稿という）を画像読取部１１に載置し、画像読取部１１にそのセキュリティキー原稿の画像を読み取らせる。操作パネル１５において、ユーザー権限レベル変更のための操作が検出されると、ユーザー権限レベル設定部２１は、画像読取部１１を使用して、そのセキュリティキー原稿の画像を読み取らせて、取得する（ステップＳ６）。
【００３２】
そして、ユーザー権限レベル設定部２１は、その画像が、セキュリティキーデータ１７ｃにより示されるセキュリティキーに合致するか否かを判定する（ステップＳ７）。その画像が、セキュリティキーデータ１７ｃにより示されるセキュリティキーに合致した場合、ユーザー権限レベル設定部２１は、セキュリティキーデータ１７ｃにおいてそのセキュリティキーに関連付けられているユーザー権限レベルへ、ログインしたユーザーのユーザー権限レベルを変更する（ステップＳ８）。
【００３３】
また、ユーザーは、現時点のユーザー権限レベルで許可される処理（文書データ１７ａの編集、文書データ１７ａに基づく印刷など）を当該画像読取装置に実行させたい場合、その処理の実行指示を操作パネル１５に入力する。操作パネル１５において現時点のユーザー権限レベルで許可される処理の実行指示が検出されると、コントローラー１６は、内部装置を制御して、その処理を実行する（ステップＳ９）。
【００３４】
また、ユーザーは、ログアウトしたい場合、ログアウト操作を操作パネル１５に対して行う。操作パネル１５においてログアウト操作が検出されると、コントローラー１６は、ログアウト処理を実行する。これにより、操作パネル１５にはログイン画面が表示される。なお、ログアウト処理によって、このユーザーに対して変更されているユーザー権限レベルは破棄される。したがって、次回のログイン時には、ユーザーデータ１７ｂに登録されているユーザー権限レベルが最初に適用される。
【００３５】
以上のように、上記実施の形態によれば、記憶装置１７には、特定画像に基づくセキュリティキーを示すセキュリティキーデータ１７ｃが記憶可能である。ユーザー権限レベル設定部２１は、ユーザーデータ１７ｂに基づいてユーザーのユーザー権限レベルを設定し、画像読取部１１により読み取られた画像がセキュリティキーに合致する場合には、セキュリティキーに対応するユーザー権限レベルへ、ユーザーのユーザー権限レベルを変更する。
【００３６】
これにより、特定のユーザーが、セキュリティキー原稿を使って、ユーザー権限レベルを必要に応じて変更できる。
【００３７】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００３８】
例えば、上記実施の形態において、特定画像は、当該画像読取装置のマニュアル（紙媒体）における特定ページ（例えば最終ページ）の画像であってもよい。さらに、その場合、ユーザー権限レベルを変更するとともに、当該画像読取装置の設定を変更可能な設定モードに自動的に移行するようにしてもよい。その際、例えば、変更後のユーザー権限レベルに応じて編集可能な設定項目が表示される。
【００３９】
また、上記実施の形態において、セキュリティキー登録部２２は、ユーザーの操作に基づいて、セキュリティキーデータ１７ｃを記憶装置１７に記憶する場合、そのユーザーのデフォルトのユーザー権限レベル（ユーザーデータ１７ｂにおいて登録されているユーザー権限レベル）より高いユーザー権限レベルの設定を禁止するようにしてもよい。
【００４０】
また、上記実施の形態において、ユーザー権限レベルを変更するときに、特定の文書データ１７ａのみに、ユーザー権限レベルの変更を適用するようにしてもよい。
【００４１】
また、上記実施の形態において、セキュリティキー原稿は、偽造防止のために地紋印刷で作成されるようにしてもよい。
【産業上の利用可能性】
【００４２】
本発明は、例えば、複合機などの画像読取装置に適用可能である。
【符号の説明】
【００４３】
１１  画像読取部
１７  記憶装置
２１  ユーザー権限レベル設定部
２２  セキュリティキー登録部
【図１】
2018182681.tif 000003
【図２】
2018182681.tif 000004